(57)【要約】  【課題】  【解決手段】髪の発育、新しい髪、または今ある髪をサポートする血液の流れが十分でない範囲に新しい毛細血管の成長と循環の増進を促す方法および装置である。【選択図】図１
2008516679.tif 000002
【特許請求の範囲】
【請求項１】
人の頭皮の毛細血管の成長を促進する装置であって、
頭皮を刺激する回転式活性部と、
中心軸と、
ハンドルとを具えることを特徴とする装置。
【請求項２】
請求項１に記載の装置において、前記ハンドルが回転ハンドルを具えることを特徴とする装置。
【請求項３】
請求項１に記載の装置において、前記ハンドルが両手で使用される２つのハンドルを具えることを特徴とする装置。
【請求項４】
請求項１に記載の装置において、前記ハンドルが単一のハンドルであることを特徴とする装置。
【請求項５】
請求項１に記載の装置において、前記ハンドルが一本の指用の開口を具えることを特徴とする装置。
【請求項６】
請求項１に記載の装置において、前記中心軸が突出部を具えることを特徴とする装置。
【請求項７】
請求項１に記載の装置がさらに、モータを具えることを特徴とする装置。
【請求項８】
請求項１に記載の装置がさらに、当該装置をシャワーヘッドに取り付けるための取り付け部を具えることを特徴とする装置。
【請求項９】
人の頭皮の毛細血管の成長を促進する方法であって、
ハンドルと頭皮を刺激する活性部とを具える装置を人の頭皮に配置するステップと、
往復運動により人の頭皮の上で前記装置を回転させるステップとを含むことを特徴とする方法。
【請求項１０】
人の頭皮の毛細血管の成長を促進する装置であって、
頭皮を刺激する回転式活性部と、
中心軸と、
前記装置をヘッドカバーに取り付ける取り付け部と、
モータとを具えることを特徴とする装置。
【請求項１１】
請求項１に記載の装置において、前記中心軸が、多様なサイズおよび大きさの突出部を具えることを特徴とする装置。
【発明の詳細な説明】
【技術分野】
【０００１】
関連出願
本出願は、２００４年１０月１９日に出願された米国暫定特許出願第６０／６１９，８７１号の優先権を主張する。
【０００２】
本発明は、髪の発育、新しい髪、または今ある髪をサポートする血液の流れが十分でない範囲に新しい毛細血管の成長および循環の増進を促す方法および装置に関する。
【背景技術】
【０００３】
米国特許Ｄ４１４，８７５は、体をマッサージするのに用いられる回転式装置に関する。
【０００４】
米国特許Ｄ３８７，８７３は、体をマッサージするマッサージロッドに関する。
【０００５】
米国特許５，４５８，５６１は、体の皮膚および反射帯の回転式マッサージのマッサージ装置に関する。シャフトがハンドルに取り付けられ、マッサージリングまたは回転本体が、自由に回転できるようにシャフトに取り付けられている。このマッサージリングまたは回転本体は、円周方向に均等に配置された突出部を具える。
【０００６】
米国特許第４，７４４，３５０は、任意の内部マグネットとともに弾力的に付勢されるローラを具える頭皮マッサージ器に関する。この頭皮マッサージ器は、後端部に把持部を具える本体と、基部と、基部から横方向に突出し基部の縦方向にそれぞれが間隔を空けて配置される一対の支持アームと、基部の縦軸とほぼ平行な軸に対して回転するようアームの間に回転可能に取り付けられた回転部材とを具える。
【０００７】
回転部材は、その外周面に設けられる頭皮を刺激する多数の突出部と、回転部材を把持部から離す方向に弾力的に付勢する圧縮ばねと共に提供される。利用者は、把持部を掴んで回転部材を頭に軽く押し当て、回転部材が頭皮の上で転がるようにマッサージ器を前後に移動させることにより、突出部が頭皮の血管を刺激して血行を促進する。圧縮ばねにより弾力的に動く回転部材は、優しく均等に頭皮に接触し、頭皮を傷つけることなく適度に頭を刺激できる。
【発明の開示】
【課題を解決するための手段】
【０００８】
本発明は、人の頭皮の上で回転可能な装置に関する。この装置は、片手、両手、または一本の指のいずれかにより操作可能なハンドルを具える。この装置を押したり引いたりすることにより、ローラが人の頭皮の上を転がる。さまざまなサイズおよび大きさの突出部がローラに配置され、さまざまなパターンで配列される。本発明の目的は、突出部の端部に頭皮に接触するボールを具えることである。このボールは、様々な大きさにすることができる。ローラが人の頭皮の上を繰り返し回転すると、装置による有益な効果が奏される。
【０００９】
本発明は、ヘアオイルの循環および分配を促進する装置に関する。本発明の目的は、新しい毛細血管の成長を促進することである。本発明の目的は、装置が単一のハンドルを有することである。本発明の目的は、指１本で装置を操作することである。本発明の目的は、装置の内部にモータを配置して、装置が連続的に人の頭皮の上を回転することができることである。
【００１０】
本発明の目的は、さまざまな部位から頭皮への血液の流れを促進することである。本発明の目的は、髪の発育、新しい髪、または今ある髪をサポートする血液の流れが十分でない範囲に新しい毛細血管の成長を促すことである。本発明の目的は、ヘアオイルの提供および／または循環を促進することである。本発明の目的は、色素を生成するメラニン細胞の生成および／または分配を増進することである。本発明の目的は、装置が頭皮の上で往復運動をすることにより、頭皮および個々の毛穴を圧力をかけることである。
【００１１】
本発明は、人の帽子またはヘッドカバーの内側に配置して人の頭皮を刺激することができる装置に関する。本発明の目的は、装置を帽子やキャップに取り付け、それらを人の頭に被せたときに、利用者がモータを具える装置の電源を入れ、装置が回転して頭皮を刺激することである。装置は、キャップまたは帽子の異なる部分に取り付けて、頭皮の異なる部分に効果をもたらすことができる。さまざまなサイズおよび大きさの突出部は、ローラ上に設けられる。ローラが人の頭皮の上で繰り返し回転するとき、装置による有益な効果が奏される。
【００１２】
本発明の目的は、装置をシャワーヘッドに引っ掛けることができることである。シャワーヘッドから温水を使用することにより、ローラが頭皮に触れるときに、ローラを温めることができる。
【００１３】
本発明の目的は、今ある髪を逆立たせる変化を頭皮の筋肉および組織構造に生じさせ、これにより頭皮および毛穴の血行をさらに促進することである。
【発明を実施するための最良の形態】
【００１４】
図１は、頭皮を刺激する回転式の活性部２０を具える装置１０を示している。この活性部２０は、矢印３０で示すように人の頭皮の上で回転する。この装置は、中心軸４０と回転ハンドル５０とを具える。この装置はさらに、片手操作部６０を有する単一のハンドル７０を具える。この装置は、手動ではなく活性部２０を回転させることができるモータ６５を具える。
【００１５】
図２は、ハンドル１１０と指を挿入するための開口１２０とを具える装置１００を示している。この装置は、往復運動方式により人の頭皮に配置される突出部１３０を具える。この装置は、手動によらずに突出部１３０を回転させるモータ１４０を具える。
【００１６】
図３は、被験者２５０を示している。頭には髪があり、完全に生え揃った範囲２００と、生え始めた範囲２１０がある。図示するように、頭の外側は、密度が最大になった部分２２０である。この範囲の内側に、完全に生え揃った範囲または生え始めている範囲がある。髪の発育は、男性のはげるパターンと逆のパターンである。
【００１７】
図４は、取り外し可能な取り付け部３２０によってヘッドカバーに取り付けられる装置３１０を具えるヘッドカバー３００を示している。この取り付け部は、例えばベルクロまたは取り外し可能な粘着材を具えることができる。本装置は、カバー３００が頭皮に配置されたときに、人の頭皮に接触する突出部３３０を具える。
【００１８】
ある例では、完全に無いのと対照的に、毛細血管が適切な位置にあるが髪が薄い人の頭の側面で装置を使用した。その結果、６週間以内に髪が最大の密度に戻った。
【００１９】
図５は、装置４００の斜視図である。装置４００は、中心軸４１０と、回転ハンドル４２０と、４４０で示すように装置に配置される刺激部４３０とを具える。この装置は、矢印４５０で示す方向に回転する。この装置は、刺激部を回転させるモータを具える。
【図面の簡単な説明】
【００２０】
【図１】図１は、本発明の装置の側面図である。
【図２】図２は、本発明の装置の側面図である。
【図３】図３は、本発明の装置による処置を５ヶ月半受けた人の頭を示す被験者の頭部の斜視図である。
【図４】図４は、ヘッドカバーに取り付けられた本発明の装置を示す図である。
【図５】図５は、本発明の装置の斜視図である。
【図１】
2008516679.tif 000003
【図２】
2008516679.tif 000004
【図３】
2008516679.tif 000005
【図４】
2008516679.tif 000006
【図５】
2008516679.tif 000007
【国際調査報告】
2008516679.tif 000008